【手続補正書】
【提出日】平成27年8月24日(2015.8.24)
【手続補正１】
【補正対象書類名】特許請求の範囲
【補正対象項目名】全文
【補正方法】変更
【補正の内容】
【特許請求の範囲】
【請求項１】
熱移動組成物であって、（ａ）３５重量％から５５重量％のＨＦＣ−１３４ａと；（ｂ）３０重量％から６０重量％のＨＦＯ−１２３４ｚｅと；（ｃ）０重量％から３０重量％のＨＦＯ−１２３４ｙｆと；から本質的になる冷媒を含み、前記組成物中のＨＦＯ−１２３４ｚｅおよびＨＦＯ−１２３４ｙｆの合計の量が少なくとも３５重量％であり、前記組成物の総ＧＷＰがＨＦＣ−１３４ａのＧＷＰが１４３０であるとき７００以下であり、前記組成物がANSI/ASHRI Addendaを含むASHRAE Standard 34-2007により決定されるクラス１組成物であり、前記重量パーセントは前記組成物の成分（ａ）−（ｃ）の合計に基づく、組成物。
【請求項２】
請求項１に記載の熱移動組成物であって、（ａ）３５重量％から５５重量％のＨＦＣ−１３４ａと；（ｂ）３０重量％から６０重量％のＨＦＯ−１２３４ｚｅと；（ｃ）５重量％から３０重量％のＨＦＯ−１２３４ｙｆと；を含み、前記重量パーセントは、前記組成物の成分（ａ）−（ｃ）の合計に基づく、組成物。
【請求項３】
請求項１に記載の熱移動組成物であって、（ａ）３５重量％から５０重量％のＨＦＣ−１３４ａと；（ｂ）３０重量％から５５重量％のＨＦＯ−１２３４ｚｅと；（ｃ）５重量％から２５重量％のＨＦＯ−１２３４ｙｆと；を含み、前記重量パーセントは、前記組成物の成分（ａ）−（ｃ）の合計に基づく、組成物。
【請求項４】
請求項１に記載の熱移動組成物であって、（ａ）４０重量％から４５重量％のＨＦＣ−１３４ａと；（ｂ）３５重量％から５０重量％のＨＦＯ−１２３４ｚｅと；（ｃ）１０重量％から２０重量％のＨＦＯ−１２３４ｙｆと；を含み、前記重量パーセントは、前記組成物の成分（ａ）−（ｃ）の合計に基づく、組成物。
【請求項５】
請求項１に記載の熱移動組成物であって、（ａ）４２重量％のＨＦＣ−１３４ａと；（ｂ）４０重量％のＨＦＯ−１２３４ｚｅと；（ｃ）１８重量％のＨＦＯ−１２３４ｙｆと；を含み、前記重量パーセントは、前記組成物の成分（ａ）−（ｃ）の合計に基づく、組成物。
【請求項６】
請求項１に記載の熱移動組成物を含む冷却システム。
【請求項７】
請求項６に記載の冷却システムであって、定置空気調整器、自動車用空気調整器、家庭用冷蔵庫／冷凍庫、チラー、熱ポンプ、および自動販売機からなる群から選択されるユニット内にある、冷却システム。
【請求項８】
請求項１に記載の熱移動組成物を含む小型冷却システム。
【請求項９】
請求項８に記載の小型冷却システムであって、吸引ライン、液体ライン熱交換器を含む、小型冷却システム。
【請求項１０】
請求項１に記載の熱移動組成物であって、さらに、５重量％までのＨＦＣＯ−１２３３ｚｄを含む、組成物。
【請求項１１】
熱移動システム内に収容される現存する熱移動流体を交換する方法であって、
前記現存する熱移動流体の少なくとも一部を前記システムから取り除くステップ、ここで、前記現存する熱移動流体はＨＦＣ−１３４ａを含み、及び、
（ａ）３５重量％から５５重量％のＨＦＣ−１３４ａと；（ｂ）３０重量％から６０重量％のＨＦＯ−１２３４ｚｅと；（ｃ）０重量％から３０重量％のＨＦＯ−１２３４ｙｆと；から本質的になる冷媒を含む熱移動組成物を前記システム内に導入することで、前記現存する熱移動流体の少なくとも一部を交換するステップ
を含み、
前記組成物中のＨＦＯ−１２３４ｚｅおよびＨＦＯ−１２３４ｙｆの合計の量が少なくとも３５重量％であり、前記組成物の総ＧＷＰがＨＦＣ−１３４ａのＧＷＰが１４３０であるとき７００以下であり、
前記組成物がANSI/ASHRI Addendaを含むASHRAE Standard 34-2007により決定されるクラス１組成物であり、
前記重量パーセントは前記組成物の成分（ａ）−（ｃ）の合計に基づく、
方法。
【請求項１２】
請求項１１に記載の方法であって、前記熱移動組成物は（ａ）３５重量％から５５重量％のＨＦＣ−１３４ａと；（ｂ）３０重量％から６０重量％のＨＦＯ−１２３４ｚｅと；（ｃ）５重量％から３０重量％のＨＦＯ−１２３４ｙｆと；を含み、前記重量パーセントは、前記組成物の成分（ａ）−（ｃ）の合計に基づく、方法。
【請求項１３】
請求項１１に記載の方法であって、前記熱移動システムが、定置空気調整器、自動車用空気調整器、家庭用冷蔵庫／冷凍庫、チラー、および自動販売機からなる群から選択される１つの内に含まれる、方法。
【請求項１４】
熱移動システムであって、流体連通するコンプレッサ、凝縮器、および蒸発器を含み、前記システム内に熱移動組成物を含み、前記熱移動組成物は、（ａ）３５重量％から５５重量％のＨＦＣ−１３４ａと；（ｂ）３０重量％から６０重量％のＨＦＯ−１２３４ｚｅと；（ｃ）０重量％から３０重量％のＨＦＯ−１２３４ｙｆと；から本質的になる冷媒を含み、前記組成物中のＨＦＯ−１２３４ｚｅおよびＨＦＯ−１２３４ｙｆの合計の量が少なくとも３５重量％であり、前記組成物の総ＧＷＰがＨＦＣ−１３４ａのＧＷＰが１４３０であるとき７００以下であり、前記組成物がANSI/ASHRI Addendaを含むASHRAE Standard 34-2007により決定されるクラス１組成物であり、前記重量パーセントは前記組成物の成分（ａ）−（ｃ）の合計に基づく、熱移動システム。
【請求項１５】
請求項１４に記載の熱移動システムであって、前記熱移動組成物は（ａ）３５重量％から５５重量％のＨＦＣ−１３４ａと；（ｂ）３０重量％から６０重量％のＨＦＯ−１２３４ｚｅと；（ｃ）５重量％から３０重量％のＨＦＯ−１２３４ｙｆと；を含み、前記重量パーセントは、前記組成物の成分（ａ）−（ｃ）の合計に基づく、熱移動システム。
【請求項１６】
請求項１４に記載の熱移動システムであって、前記熱移動システムが、定置空気調整器、自動車用空気調整器、家庭用冷蔵庫／冷凍庫、チラー、および自動販売機からなる群から選択される少なくとも１つの内に含まれる、熱移動システム。
【請求項１７】
２０℃から６５℃の外部周囲動作温度を備える請求項１４に記載の熱移動システム。
【請求項１８】
−３０℃から５℃の冷却される周囲動作温度を備える請求項１４に記載の熱移動システム。
【請求項１９】
−１８℃から７℃の蒸発温度を備える請求項１４に記載の熱移動システム。
【請求項２０】
請求項１に記載の熱移動組成物であって、６０４以下の総ＧＷＰを有する組成物。
【請求項２１】
請求項１に記載の熱移動組成物であって、６００以下の総ＧＷＰを有する組成物。
【請求項２２】
チラーシステムを含む請求項６に記載の冷却システム。
【請求項２３】
遠心チラーシステムを含む請求項６に記載の冷却システム。
【請求項２４】
商業的な冷却システムを含む請求項６に記載の冷却システム。
【請求項２５】
前記システムがチラーシステムを含む請求項１１に記載の方法。
【請求項２６】
前記システムが遠心チラーシステムを含む請求項１１に記載の方法。
【請求項２７】
前記システムが商業的な冷却システムを含む請求項１１に記載の方法。
【請求項２８】
チラーシステムを含む請求項１４に記載の熱移動システム。
【請求項２９】
遠心チラーシステムを含む請求項１４に記載の熱移動システム。
【請求項３０】
商業的な冷却システムを含む請求項１４に記載の熱移動システム。